(57)【要約】【課題】  梱包、開梱の作業によっても傷まず、繰り返し使用することができ、かつ、重量の重い物品の取り出しが可能な包装箱を提供する。【解決手段】  箱１は、上面と、上面に連設され対向する垂直２面（側面）と、前記側面に連設される底面と、収容物の出し入れを行う開閉部から構成される。図１のとおり、側面ではない対向する垂直２面が、収容物の出し入れを行う開閉部である。開閉部は、上フラップ２、左フラップ３ａ、右フラップ４ｂ、下フラップ５の４つのフラップから構成される。上フラップ２は箱１の上面から連設され、左フラップ３ａ、右フラップ４ｂは箱１の側面から連設され、下フラップ５は箱１の底面から連設されている。【選択図】図１
2012214243.tif 000002
【特許請求の範囲】
【請求項１】
１組の対向する垂直面のいずれかが開閉自在である開閉部を有する直方体の箱であって、
前記開閉部は、収容物の出入口となるものであり、上下フラップと左右フラップの４つのフラップを有するとともに、下フラップ、左右フラップ、上フラップの順に箱の内側から外側に向かって重なり合うことによって閉塞され、
前記上フラップは、略下向きに延びる少なくとも１つの挿入片を有し、
前記左右フラップの少なくともいずれか一方は、前記挿入片を挿入可能な挿入孔を有することを特徴とする包装箱。
【請求項２】
前記左右フラップは、前記左右フラップから互いに向き合う方向に突出して設けられた突出片を有し、
前記突出片が、互いに向き合う左右フラップに対して、箱内側または箱外側から重なるように設けられたことを特徴とする、請求項１記載の包装箱。
【請求項３】
前記左右フラップが、２つの突出片を有し、前記突出片は、前記左右フラップの縁に切り込みを入れることによって形成されるものであることを特徴とする、請求項２記載の包装箱。
【請求項４】
前記上フラップは、前記挿入片の挿入方向と垂直な方向に折り曲げ線を有することを特徴とする、請求項１〜３いずれか１項に記載の包装箱。
【請求項５】
前記上フラップは、前記折り曲げ線上に、手掛けとなる切欠部を有することを特徴とする、請求項１〜４いずれか１項に記載の包装箱。
【請求項６】
前記上フラップは、前記挿入片を２つ有し、前記２つの挿入片の間に、左右フラップの接合部分に当接して、左右フラップの開閉を抑える抑止片を有することを特徴とする請求項１〜５いずれか１項に記載の包装箱。
【発明の詳細な説明】
【技術分野】
【０００１】
本発明は、重量が比較的重い物品の運搬に好適で繰り返し使用できる包装箱に関する。
【背景技術】
【０００２】
物品の運搬においては、運搬中に物品を傷つけないよう、包装箱に入れて運搬することが多い。例えば、包装箱としては、ボール紙でなる直方体の箱（段ボール箱）であって、底面と上面をフラップ（段ボール箱の蓋のことをいう、以下同じ。）で形成したものが最も一般的である。このような段ボール箱では、あらかじめ底面のフラップ同士をクラフトテープ等で貼り合わせ、開口した箱の上部より物品を挿入し、物品を挿入した後に上面のフラップ同士をクラフトテープ等で貼り合わせることによって蓋をし、物品を包装箱に収納した状態で運搬する。また、運搬先では、箱上面に貼り付けたクラフトテープ等を剥がして、物品を包装箱から取り出す。さらに、箱底面に貼り付けたクラフトテープ等を剥がせば、板状に折り畳むことができ、物品を取り出した後の片付けが容易である。
【０００３】
しかし、上述のように折り畳む際にクラフトテープ等を剥がす作業は、箱を傷める原因となり、このような傷んだ箱は美観を損なうこと、また、強度が低下することから、再度使用するには不向きである。また、持ち上げるのが困難な重量や体積を有している物品については、箱上面から物品を取り出すことなく、箱側面をカッターナイフ等で切り開いて、箱側面から物品を取り出すこともある。このような側面が切り開かれた箱を再度使用することも難しい。このように、従来の包装箱は、一度使用した後に廃棄するしかなく、エコロジーまた金銭的な面から、一度使用した箱を繰り返し使用できる包装箱の提供が求められている。
【０００４】
上記の課題に対する一つの解決策として、クラフトテープ等を用いずに梱包することが考えられ、そのような手段を提案する特許文献１が存在する。この包装箱は、筒状４側壁の一方の対向側壁上辺より先端相互が当接する内フラップを連設し、他方の対向側壁上辺より外フラップを連設し、外フラップに形成された差込片を内フラップに形成された差込溝に嵌挿させることにより、クラフトテープ等を用いずに天面を閉塞するというものである。
【先行技術文献】
【特許文献】
【０００５】
【特許文献１】特開平８−１４３０２５号公報
【発明の概要】
【発明が解決しようとする課題】
【０００６】
上記従来の包装箱は、箱上面を収容物の出入口とすることが前提となっている。そのため、上述のとおり、大きな重量や体積を有している物品については、箱上面から収容物を取り出すことが困難であり、箱側面をカッターナイフ等で切り開いて、箱側面から収容物を取り出すのが一般的で、繰り返し使用するには適さない。
【０００７】
本発明は、以上のような従来技術の課題を解決するために提案されたものであり、その目的は、梱包、開梱の作業によっても傷まず、繰り返し使用することができ、かつ、重量の重い物品の収納・取り出しが容易な包装箱を提供することにある。
【課題を解決するための手段】
【０００８】
上記目的を達成するため、請求項１の発明は、１組の対向する垂直面のいずれかが開閉自在である開閉部を有する直方体の箱であって、前記開閉部は、収容物の出入口となるものであり、上下フラップと左右フラップの４つのフラップを有するとともに、下フラップ、左右フラップ、上フラップの順に箱の内側から外側に向かって重なり合うことによって閉塞され、前記上フラップは、略下向きに延びる少なくとも１つの挿入片を有し、前記左右フラップの少なくともいずれか一方は、前記挿入片を挿入可能な挿入孔を有することを特徴とする。
【０００９】
以上の態様では、４つのフラップを重ね合わせることによって、開閉部を閉塞させることができるため、クラフトテープ等でフラップ同士を張り合わせる必要がない。開梱の際に、クラフトテープ等を剥がすこと必要もないため、箱を傷つけるこがなく、箱を繰り返し使用することができる。
【００１０】
また、以上の態様では、直方体である箱の１組の対向する垂直面を収容物の出入口（開閉部）として使用するものであるため、箱の上面である水平面に開閉部を設けた従来の箱と異なり、垂直面からの収容物の取出しが可能となる。したがって、収容物が重量の重い物品であっても持ち上げる必要がなく、引きずりながら引き出したり押し込むができる。特に、キャスターを備えた椅子や机等であれば、キャスターを走行させながら収納し、また、取り出すことができる。
【００１１】
一方、運搬中に箱内部でキャスターを備えた収容物が水平方向に遊動すると、特にキャスター部分が収容物において最も突出している場合には、箱下部がキャスターに押されて、箱の開閉部が開くことが懸念される。しかし、上記態様では、下フラップ、左右フラップ、上フラップの順に箱の内側から外側に向かって重なり合っているため、開閉部が開いて収容物が箱から出るということがない。すなわち、下フラップが箱の最も内側に位置することで、まず、キャスターの遊動による開閉部への衝撃を下フラップが吸収する。この下フラップを左右フラップが覆い、下フラップを確実に固定する。さらに左右フラップの開閉は、上フラップにより確実に固定される。そして、上フラップは、上フラップに備えられた挿入片を左右フラップに備えられた挿入孔に挿入することによって、開閉部を確実に閉塞することができる。
【００１２】
従来の箱は、箱内部に位置する２つのフラップを、箱外側に位置する２つのフラップが覆う形態であり、箱外側に位置する２つのフラップをクラフトテープ等で貼り合わせるか、箱外側に位置する２つのフラップに挿入片を設けることで開閉部を閉塞していたのに対して、上記態様では、上フラップ１つのみに挿入片を設けることで開閉部を確実に閉塞することができる。したがって、箱の梱包・開梱が容易でリサイクル性に優れる。なお、上記従来の箱のように、箱外側に２つのフラップがある形態においては、箱を回転させて水平面にある開閉部を垂直面にして使用したとしても、開閉部の強度が低いために包装箱としての使用に適さない。
【００１３】
請求項２の発明は、請求項１に記載の発明において、前記左右フラップは、前記左右フラップから互いに向き合う方向に突出して設けられた突出片を有し、前記突出片が、互いに向き合う左右フラップに対して、箱内側または箱外側から重なるように設けられたことを特徴とする。
【００１４】
以上の態様では、左フラップに設けられた突出片は右フラップが箱外側に開くのを抑え、右フラップに設けられた突出片は左フラップが箱外側に開くのを抑えることができ、左右フラップの開閉部の閉まりがより強固になる。
【００１５】
請求項３の発明は、請求項２に記載の発明において、前記左右フラップが、２つの突出片を有し、前記突出片は、前記左右フラップの縁に切り込みを入れることによって形成されるものであることを特徴とする。
【００１６】
以上の態様では、２つの突出片があることによって、左右フラップ同士の重なり度合が向上し、左右フラップの開閉部の閉まりがさらに強固になる。
【００１７】
請求項４の発明は、請求項１〜３に記載の発明において、前記上フラップは、前記挿入片の挿入方向と垂直な方向に、折り曲げ線を有することを特徴とする。
【００１８】
挿入片を挿入孔に挿入する際、上フラップを曲げたり、たわませたりして、挿入片を挿入孔の入り口に合わせる必要があるが、以上の態様では、折り曲げ線によって上フラップの曲げる箇所が固定されるため、挿入片を挿入孔に挿入する作業が容易になる。
【００１９】
請求項５の発明は、請求項１〜４に記載の発明において、前記上フラップは、前記折り曲げ線上に、手掛けとなる切欠部を有することを特徴とする。
【００２０】
以上の態様では、作業者が箱を開ける際、切欠部に手を掛けることができる。これにより、上フラップを折り曲げ線に沿って折り曲げやすくなり、挿入片を挿入孔に挿入する作業が容易になる。
【００２１】
請求項６の発明は、請求項１〜５に記載の発明において、前記上フラップは、前記挿入片を２つ有し、前記２つの挿入片の間に、左右フラップの接合部分に当接して、左右フラップの開閉を抑える抑止片を有することを特徴とする。
【００２２】
以上の態様では、上フラップが抑止片を有することによって、箱内部から開閉部に向かって働く力で左右フラップが開く方向に動くのを抑制し、開閉部の開きを抑えることができる。
【発明の効果】
【００２３】
以上の本発明によれば、梱包、開梱の作業によっても傷まず、繰り返し使用することができ、かつ、重量の重い物品に取り出しが可能な包装箱を提供することができる。
【図面の簡単な説明】
【００２４】
【図１】本発明の実施の形態に係る包装箱の全体構成を示す斜視図。
【図２】本発明の実施の形態に係る包装箱の上フラップのみを切り出した図。
【図３】本発明の実施の形態に係る包装箱の左フラップのみを切り出した図（ａ）と他の態様を示す図（ｂ）、図（ｃ）。
【図４】本発明の実施の形態に係る包装箱の下フラップのみを切り出した図。
【図５】本発明の実施の形態に係る包装箱の展開した状態を示す図。
【図６】本発明の実施の形態に係る包装箱の展開した状態を示す図。
【図７】本発明の実施の形態に係る包装箱の左右フラップおよび下フラップが閉塞した状態を示す斜視図。
【図８】本発明の実施の形態に係る包装箱のすべてのフラップが閉塞した状態を示す斜視図。
【発明を実施するための形態】
【００２５】
以下、本発明の実施の形態（以下、本実施形態という。）について、図面を参照しながら説明する。なお、従来と同様の構成については、適宜説明を省略する場合がある。
【００２６】
［１．本実施形態］
［１−１．構成］
（１）全体構成
本実施形態の包装箱（以下、箱１とする）は、各面が方形で立方体を含む直方体である。本実施形態の箱１は、上面と、上面に連設され対向する垂直２面（側面）と、前記側面に連設される底面と、収容物の出し入れを行う開閉部から構成される。図１のとおり、側面ではない対向する垂直２面が、収容物の出し入れを行う開閉部である。
【００２７】
２つの開閉部はともに、上フラップ２、左フラップ３ａ（４ａ）、右フラップ４ｂ（３ｂ）、下フラップ５の４つのフラップから構成される。上フラップ２は箱１の上面から連設され、左フラップ３ａ（４ａ）、右フラップ４ｂ（３ｂ）は箱１の側面から連設され、下フラップ５は箱１の底面から連設されている。２つの開閉部は同じ構成である。
【００２８】
箱１は、開閉部を閉じた状態では、箱１内部から見て下フラップ５、左右フラップ、上フラップ２の順に重なり合っている。すなわち、箱の最も内側に下フラップ５が位置し、下フラップを左右フラップが覆い、さらに上フラップ２が左右フラップを覆う形態である。
【００２９】
また、箱１は、上面と側面が当接する辺を起点として折り曲げることによって、上面、２つの上フラップ、左フラップ４ａ、右フラップ４ｂ、側面、からなる面と、底面、２つの下フラップ、左フラップ３ａ、右フラップ３ｂ、側面、からなる面に分け、折り畳むことできる。
【００３０】
以下、一方の開閉部を構成する上フラップ２、左フラップ３ａ、右フラップ４ｂ、下フラップ５について説明する。
【００３１】
（２）上フラップの構成
図２は、上フラップ２のみを切り取った図である。上フラップ２は略長方形であり、箱１の上面と上フラップ２の接する辺を上フラップ２の上辺とし、長さａ１とする。上フラップ２の上辺に垂直な２辺を上フラップ２の左右辺とし、長さａ２とする。残りの１辺を上フラップ２の下辺とする。
【００３２】
上フラップ２は、図２のとおり、挿入片２１、２１’、抑止片２２、折り曲げ線２３、切欠部２４、２４’を有する。
【００３３】
挿入片２１、２１’は、上フラップ２の下辺から、上フラップ２の上辺と反対方向に延びる突出部分である。挿入片２１、２１’は、図２のように、上フラップ２の左右近傍から離れたように位置する。この位置は、挿入片２１、２１’が、それぞれ挿入片２１を左フラップ３ａに備えられた挿入孔３２ａに、挿入片２１’を右フラップ４ｂに備えられた挿入孔４２ｂに挿入することによって開閉部を閉塞できる位置である。
【００３４】
挿入片２１、２１’の長さおよび幅は、挿入孔３２ａ、４２ｂに挿入し上フラップ２が固定できるよう、箱の大きさに合わせて適宜調整することができる。なお、長さとは、箱の使用状態において、垂直方向を示すものであり、幅とは、水平方向を示すものとする。
【００３５】
抑止片２２は、上フラップ２の下辺から突出する部分であり、２つの挿入片２１、２１’の間に備えられる。左右フラップの接合部分に当接して、左右フラップの開閉を抑える働きがある。
【００３６】
抑止片２２の長さおよび幅は、左右フラップが開くのを抑えるよう、箱の大きさに合わせて適宜調整することができる。
【００３７】
折り曲げ線２３は、上フラップ２の上下辺と平行な直線である。上フラップ２の上辺と上フラップ２の下辺のほぼ真ん中に備えられ、上フラップ２の左辺から上フラップ２の右辺まで延びる。折り曲げ線２３は、上フラップ２を折り曲げやすくする働きがある。
【００３８】
切欠部２４、２４’は、上フラップ２の左辺および右辺から上フラップ内向きに台形に切り取った部分であり、その台形の中心線を延長した線が、折り曲げ線２３と一致する。上フラップ２を折り曲げ線２３に沿って折り曲げる際に、切欠部２４、２４’が手掛けとなる。ここでいう手掛けとは、作業者が折り曲げ線２３に沿って上フラップ２を折り曲げ、上フラップ２に設けた挿入片２１、２１’を、左右フラップに設けた挿入孔３２ａ、４２ｂ（詳細は後述する）に挿入する際、または、挿入孔３２ａ、４２ｂから取り出す際に、作業者が指でつまむ部分をいう。
【００３９】
（３）左右フラップの構成
図３（ａ）は、左フラップ３ａのみを切り取った図である。左フラップ３ａは略長方形であり、箱１の側面と左フラップ３の接する辺を、左フラップ３ａの左辺とし、長さｂ１とする。左フラップ３ａの左辺に垂直な２つの辺を左フラップ３ａの上下辺とし、長さｂ２とする。もう１辺を左フラップ３の右辺とする。ｂ２は、ａ１のおよそ１／２である。また、ｂ２は、ａ２にさらに挿入片の長さを加えた長さと同等であるのが好ましい。
【００４０】
左フラップ３ａは、図３（ａ）のとおり、第１突出片３１ａ、第２突出片３１ａ’、挿入孔３２ａ、手掛部３３ａを有する。右フラップ４ｂは、第１突出片４１ｂ、第２突出片４１’ｂ、挿入孔４２ｂを有する。
【００４１】
左右フラップは、フラップ同士が互い違いに交差して固定されるように、それぞれ第１突出片と第２突出片を上下に並べて有する。この第１突出片と第２突出片とは、左右フラップの接合する端部の中央に切り込みを入れることで、当該端部から突出する部分として形成される。切り込みを入れることにより形成される２つの突出片のうち、左フラップ３ａの上辺側を第１突出片３１ａ、左フラップ３ａの下辺側を第２突出片３１’ａとする。同様に、右フラップ４ｂは、対応する第１突出片４１ｂ、第２突出片４１’ｂを備える。切り込みは、左フラップ３ａの右辺に垂直に設けられる。互いに重ね合うことによる突出片の角の磨耗を防止するため、図３（ａ）のように、第１突出片３１ａ、第２突出片３１’ａの角をＲ状に切り取る。
【００４２】
なお、突出片は、上記態様に限られず、例えば、図３（ｂ）のように、左フラップ３ａの右辺にＶ字に切り込みを入れることにより突出片を形成してもよい。また、突出片を左右フラップで１つずつ設けることで構成することも可能である。たとえば、図３（ｃ）のように、左フラップ３ａは、第２突出片３１’ａに相当する部分はなく、第１突出片３１ａのみを備え、右フラップは、第１突出片４１ｂに相当する部分がなく、第２突出片４１’ｂのみを備えるような構成でもよい。
【００４３】
突出片３１ａ、３１’ａ、４１ｂ、４１’ｂの幅は、突出片同士の重なりが大きいほど開閉部の閉まり強度が高まるが、箱の大きさに合わせて適宜調整できる。
【００４４】
挿入孔３２ａは、左フラップ３ａの上部中央に略長方形に形成された穴である。この穴は、完全にくり抜かれたものではなく、長方形の上辺は左フラップ３ａと連設されたままで、長方形の残り３辺に切り込みを入れたものである。挿入孔３２ａの左端は、左フラップ３ａの左辺から離れたところに位置する。この位置は、挿入片２１を挿入することによって開閉部を閉塞できる位置である。
【００４５】
挿入孔３２ａの長さは、挿入片２１が挿入しやすいよう、箱の大きさに合わせて適宜調整できる。挿入孔３２ａの幅は、挿入片２１の幅と同じか、やや長いものである。
【００４６】
手掛部３３ａは、第１突出片３１ａから左フラップ内向きに台形に切り取った部分である。作業者が、互い違いに重なった左右フラップを開く際に、手掛部３３ａを指でつまみを開くことで、左右フラップの突出片の閉塞を解放することができる。
【００４７】
（４）下フラップの構成
図４は、下フラップ５のみを切り取った図である。下フラップ５は略長方形であり、箱１の底面と下フラップ５の接する辺を、下フラップ５の下辺とする。下フラップ５の下辺につながる２辺を下フラップ５の左右辺、もう１辺を下フラップ５の上辺とする。ｃ１は、ａ１と同じ長さである。ｃ２は、ｂ２と同等の長さがよい。
【００４８】
［１−２．作用効果］
以上のような本実施形態の構成に基づいて、箱の作用について説明する。
【００４９】
図５は、箱を展開した状態であって、箱１の上面とそれに連設する２つの上フラップ２、箱１の側面と連設する左フラップ４ａ、右フラップ４ｂを示したものである。図６は、箱１の底面とそれに連設する２つの下フラップ５、箱１の側面と連設する左フラップ３ａ、右フラップ３ｂを示したものである。のりしろ６１を利用して、図５に示された箱１の側面と図６に示された箱１の底面を接着させ、のりしろ６２を利用して、図５に示された箱１の上面と図５に示された箱１の側面を接着させると、上面、側面、底面は一体となる。
【００５０】
（１）箱の組み立て方法
図５、図６のように、箱を展開した状態から、箱１の底面を下にして水平に箱１を置く。まず、図１に示すように、下フラップ５を垂直方向に立てる。下フラップ５が開閉部の下部分を形成する。下フラップ５は、最も箱内側に位置することになる。
【００５１】
次に、図７に示すように、下フラップ５の上に、左フラップ３ａ、右フラップ４ｂを重ねる。このとき、上フラップ２は、箱１内部に入らないようにする。左フラップ３ａ、右フラップ４ｂを下フラップ５の上に重ねることによって、開閉部のほぼ全領域が閉塞される。下フラップ５と、左フラップ３ａ、右フラップ４ｂとが重なっている開閉部の下部分は、フラップが二重に重なるため開閉部の強度が高い。
【００５２】
次に、左フラップの第１突出片３１ａが右フラップの第１片４１ｂより箱外側に位置し、左フラップの第２突出片３１ａ’が右フラップの第２片４１’ｂより箱内側に位置するように、左右フラップの突出片が互い違いに交差して、左右フラップが固定される。左右フラップが互いに重なり合うことによって、左右フラップが箱１の底面に対して垂直方向に立つよう位置づけられる。さらに、左右フラップの突出片が互いに重なり合う開閉部の中心部分であって、特に開閉部の下部分は、フラップが三重に重なるため開閉部の強度が高い。
【００５３】
次に、切欠部２４、２４’に手を掛け、折り曲げ線２３に沿って上フラップ２を折り曲げながら、図８のように、挿入片２１、２１’をそれぞれ挿入孔３２ａ、４２ｂに挿入する。これにより、上フラップ２が、開閉部の一部として固定される。
【００５４】
以上の組み立て方法によって、箱の対向する垂直面のうち１つの面の開閉部が閉塞される。対向する他方の面の開閉部も同様の手順で閉塞される。
【００５５】
（２）箱の展開方法
箱１の展開方法は、上記箱１の組み立て方法を逆から行う方法である。開閉部が閉塞された箱において、切欠部２４、２４’に手を掛け、挿入片２１、２１’をそれぞれ挿入孔３２ａ、４２ｂから引き出す。手掛部３３ａに手を掛け、左右フラップ３ａ、４ｂを箱１外側に向けて開ける。上下フラップ２、５、左フラップ３ａ、右フラップ４ｂをそれぞれ、開閉部を形成するときとは反対方向に曲げ、折り畳む。
【００５６】
（３）箱全体の効果
本実施形態の箱は、開閉部を閉塞させるためにクラフトテープ等で貼り合わせる必要がない。本実施形態の箱は、開閉部を形成する４つのフラップを重ねあわせることによって、開閉部を閉塞することができるためである。したがって、本実施形態の箱は、従来のように、開梱の際、開閉部を閉塞させるために箱に貼り付けたクラフトテープ等を剥がす必要がなく、そのような作業によって箱が傷つくということがない。開梱、梱包によって、箱を傷つけることがないため、本実施形態の箱は、繰り返し使用することができるという利点がある。
【００５７】
本実施形態の箱の上面および底面は１枚の板状の面である。従来、箱上面および底面は、収容物の扉部分として使用するためにフラップで形成されており、箱を積み重ねるのに適した強度を有していなかった。本実施形態の箱は、従来のような箱上面および底面がフラップで形成されているものではないため、箱を積み重ねても箱の形状を保持できる十分な強度を有する。
【００５８】
本実施形態の箱は、１組の対向する垂直面が、開閉部となっている。したがって、重量の重い物品であっても持ち上げる必要がなく、引きずりながら引き出したり押し込むことができる。特に、キャスターを備えた椅子や机等であれば、キャスターを走行させながら収納し、また、取り出すことができる。収容物をいったん持ち上げて収納するといった従来の労力と比べて、はるかに小さな労力で作業できる。このように、作業者にとって、開梱、梱包が簡単である。
【００５９】
（４）開閉部の効果
運搬中に箱内部でキャスターを備えた収容物が水平方向に遊動すると、特にキャスター部分が収容物において最も突出している場合には、箱下部がキャスターに押されて、箱の開閉部が開くことが懸念される。しかし、本実施形態の開閉部は、４つのフラップで形成され、下フラップ、左右フラップ、上フラップの順に箱の内側から外側に向かって重なり合っているため、開閉部が開いて収容物が箱から出るということがない。すなわち、下フラップが箱の最も内側に位置することで、まず、キャスターの遊動による開閉部への衝撃を下フラップが吸収する。この下フラップを左右フラップが覆い、下フラップを確実に固定する。さらに左右フラップの開閉は、上フラップにより確実に固定される。
【００６０】
従来の開閉部は、上下フラップを左右フラップより内側（一般的なダンボール箱）または外側（特許文献１）に位置させるように、２層のフラップから構成されている。これに対して、本実施形態の開閉部は、上フラップと下フラップを異なる層に配置するという従来にない構成であり、すなわち、３層のフラップから構成される。これにより、本実施形態の開閉部は、開閉部の閉塞強度を飛躍的に高め、かつ、開閉の容易さを高めている。
【００６１】
本実施形態の上フラップは、挿入片を有しており、左右フラップに備えられた挿入孔に挿入することによって、左右フラップが箱外側に押し出されることで開閉部が開くのを抑制する効果がある。従来の箱は、箱内部に位置する２つのフラップを、箱外側に位置する２つのフラップが覆う形態であり、箱外側に位置する２つのフラップをクラフトテープ等で貼り合わせるか、箱外側に位置する２つのフラップに挿入片を設けることで開閉部を閉塞していたのに対して、本実施形態の上フラップは、上フラップ１つのみに挿入片を設けることで開閉部を確実に閉塞することができる。したがって、箱の梱包・開梱が容易でリサイクル性に優れる。
【００６２】
本実施形態の上フラップは、抑止片を有する。箱を組み立てた状態において、挿入片は、左右フラップより箱内側に位置し、抑止片は、左右フラップより箱外側に位置する。すなわち、挿入片と抑止片が左右フラップを挟む状態にある。これにより、左右フラップが箱外側に押し出されることで開閉部が開くのを抑制する効果がある。
【００６３】
本実施形態の上フラップは、手掛けとなる切欠部を有する。挿入片を挿入孔に挿入するとき、また挿入孔から挿入片を取り出すとき、作業者は上フラップのどこかを掴まなければならない。手掛けとなる切欠部が、折り曲げ線上にあることで、上フラップを折り曲げ線に沿って折り曲げやすくなり、挿入片を挿入孔に挿入する作業が容易になる。
【００６４】
また、本実施形態の上フラップは、手掛けとなる切欠部を有するため、作業者が、例えば、抑止片を掴んで作業を行うということを避けることができる。抑止片は、上記のとおり、開閉部が開くのを抑制する効果があるが、抑止片の変形によってはその効果が低減することが考えられる。作業者が抑止片を掴んで抑止片を変形させることがなく、抑止片の有する作用効果が保持されることによって、箱を繰り返し使用することができる。
【００６５】
本実施形態の上フラップは、折り曲げ線を有する。挿入片を挿入孔に挿入する際、上フラップを曲げたり、たわませたりして、挿入片を挿入孔の入り口に合わせる必要があるが、折り曲げ線があることによって、上フラップの曲げる箇所が固定されるため、挿入片を挿入孔に挿入する作業が容易になる。
【００６６】
本実施形態の左右フラップは、突出片を有し、互い違いに交差することにより左右フラップが固定される。下フラップは左右フラップによって固定されるが、左右フラップの固定によって、下フラップがさらに強力に固定されるという効果を有する。
【００６７】
本実施形態の左右フラップは、手掛部を有するため、作業者が手掛部を掴んで、互い違いに交差する左右フラップを開くことができる。作業者が、左右フラップを開ける際に、左右フラップの角部分を掴んで開けることがあるが、フラップの角は傷みやすい。手掛部があれば、作業者が、角部分を掴んで作業を行うということを避けることができ、角部分の損傷を抑えることで、箱を繰り返し使用することができる。
【００６８】
［２．他の実施形態］
本発明は上記実施形態において示した態様に限定されるものではなく、例えば、以下のような実施形態も包含するものである。
【００６９】
本発明の挿入片および挿入孔は、１つずつでもよい。挿入孔が１つの場合には、挿入孔は、左フラップまたは右フラップのどちらか一方にのみ備えられる。挿入孔の位置によって、挿入片の位置を調整することができる。
【００７０】
本発明の各フラップおよび挿入片、突出片、抑止片の角は、丸みをもたせてもよい。角に丸みがある方が、耐衝撃性の点でよい。特に、挿入片は挿入孔へ出し入れすることによって角が傷みやすいため、角に丸みをもたせる。
【００７１】
本発明の挿入片、突出片、抑止片、切欠部、手掛部には、組立方法の表示部を付してもよい。例えば、挿入片には奥まで入れるよう指示する記載をする。これにより、作業者に、挿入片を下向きに挿入孔の奥まで入れるよう促すことができ、開閉部を確実に閉塞することができる。
【００７２】
また、突出片には、第１突出片と第２突出片のうち箱内側に入れ込む方がどちらであるかの表示を記載する。これにより、作業者が、左フラップと右フラップを交互に重ね合わせるときに、確実に作業することができる。
【００７３】
また、抑止片には、この部分を持って箱を開けてはいけないよう注意を促す記載をし、切欠部には、この部分を持って箱を開けるよう指示する記載をする。これにより、作業者に、上フラップを持ち上げるときに、抑止片ではなく切欠部を掴むように示すことができる。抑止片には、左右フラップが箱外側に動いて開閉部が開くことがないようにする抑制効果があり、作業者が抑止片を持って開けようとすることによって抑止片が傷み、抑止片の抑制効果が低下するのを防ぐことができる。
【００７４】
また、手掛部には、この部分を持って箱を開けるよう指示する記載をする。これにより、作業者に、左右フラップを開けるときに、突出片ではなく手掛部を掴むように示すことができる。突出片には、左右フラップが互いに重ね合うことによって固定される効果があり、作業者が突出片を持って開けようとすることによって突出片が傷み、突出片の作用効果が低下するのを防ぐことができる。
【００７５】
本発明の箱は、側面の中央やや上よりに、箱の持ち手となる孔を有してもよい。持ち手となる孔に指を入れて、箱を持ち上げることができる。
【００７６】
本発明の箱の表面には、再利用箱の表示を付してもよい。例えば、「この箱は環境に配慮して繰り返し使用しています」や、「この箱は再利用箱です  ていねいに取り扱いください」と、箱の上面、側面、各フラップに記載する。これにより、作業者、運搬者等、箱を取り扱う者に、箱は繰り返し使用されるものであることを伝え、箱を丁寧に取り扱うように促す。また、箱の使用回数が一目で分かるように、箱使用回数チェック表を、箱の表面に表示してもよい。箱の使用回数によって、箱を廃棄するタイミングを決めることもできる。
【符号の説明】
【００７７】
１・・・箱
２・・・上フラップ
３ａ、４ａ・・・左フラップ
３ｂ、４ｂ・・・右フラップ
５・・・下フラップ
６１、６２・・・のりしろ
２１、２１’・・・挿入片
２２・・・抑止片
２３、２３’・・・切欠部
２４・・・折り曲げ線
３１ａ、４１ａ・・・左フラップの第１突出片
３１’ａ、４１’ａ・・・左フラップの第２突出片
４１ｂ、３１ｂ・・・右フラップの第１突出片
４１’ｂ、３１’ｂ・・・右フラップの第２突出片
３２ａ、４２ａ、３２ｂ、４２ｂ・・・挿入孔
３３ａ、３３ｂ・・・手掛部
ａ１・・・上フラップの上辺の長さ
ａ２・・・上フラップの左右辺の長さ
ｂ１・・・左フラップの左辺の長さ
ｂ２・・・左フラップの上下辺の長さ
ｃ１・・・下フラップの下辺の長さ
ｃ２・・・下フラップの左右辺の長さ
【図１】
2012214243.tif 000003
【図２】
2012214243.tif 000004
【図３】
2012214243.tif 000005
【図４】
2012214243.tif 000006
【図５】
2012214243.tif 000007
【図６】
2012214243.tif 000008
【図７】
2012214243.tif 000009
【図８】
2012214243.tif 000010